(57)【特許請求の範囲】
【請求項１】
フロントガラスに対面するインストルメントパネル上面から下降するインストルメントパネル正面に、画像表示面が車両後方を向くように画像表示装置を収納する収納部が形成された自動車のインストルメントパネルにおいて、
インストルメントパネル上面にセンタコンソールの上方で隣接するインストルメントパネル正面領域に、画像表示面が占める位置よりも後方へ突出した上周面、両側の側周面及び下周面を備えた収納部を形成し、
水平状の前記下周面に上向きの空気吹出し口を有するレジスタを前記下周面に内蔵させ、
この下周面における前記レジスタに対して後方側の水平状の後端部分に、この後端部分で開口して下方へ向かうスリット状凹部をチケットホルダとして形成したことを特徴とする自動車のインストルメントパネル。
【請求項２】
車幅方向に沿った空気吹出し口が、斜め後方に向けて上方へ延びる風向板間に形成されると共に、その上端面が後方へ向かうのに伴って下降する傾斜面として形成されたことを特徴とする請求項１記載の自動車のインストルメントパネル。
【発明の詳細な説明】
【０００１】
【発明の属する技術分野】
本発明は、インストルメントパネル正面に、画像表示面が車両後方を向くように画像表示装置を収納する収納部が形成された自動車のインストルメントパネルに関するものである。
【０００２】
【従来の技術】
図４はこの種のインストルメントパネルを示すもので、フロントガラスに対面するインストルメントパネル上面１ａから下降するインストルメントパネル正面１ｂにおける両側にレジスタ４が設けられ、運転席の対向領域にはメータ表示面７が形成されている。さらに、センタコンソール９の上方領域にはレジスタ３及びその下方に空調操作パネル５が設けられ、さらに下方のセンタコンソール９から隆起させて一体化させた部分にはナビゲータ８ａを収納する収納部８が形成されている。
【０００３】
【発明が解決しようとする課題】
これにより、カーナビゲータの画像表示面が車両後方を向いて運転者はその画像をモニタすることができるが、下方に位置するために視線の移動距離が大きくなり、したがって見難くかったり、安全性上も問題が残される。
【０００４】
本発明は、このような点に鑑みて、運転者の視線の移動距離を少なくして画像をモニタ可能にし得る画像表示装置用収納部を備えた自動車のインストルメントパネルを提供することを目的とする。
【０００５】
【課題を解決するための手段】
本発明は、この目的を達成するために、請求項１により、フロントガラスに対面するインストルメントパネル上面から下降するインストルメントパネル正面に、画像表示面が車両後方を向くように画像表示装置を収納する収納部が形成された自動車のインストルメントパネルにおいて、インストルメントパネル上面（１ａ）にセンタコンソール（９）の上方で隣接するインストルメントパネル正面（１ｂ）領域に、画像表示面（１９）が占める位置よりも後方へ突出した上周面（１１）、両側の側周面（１２）及び下周面（１３）を備えた収納部（１０）を形成し、水平状の下周面（１３）に上向きの空気吹出し口（２１）を有するレジスタ（２０）を下周面（１３）に内蔵させ、この下周面におけるレジスタ（２０）に対して後方側の水平状の後端部分に、この後端部分で開口して下方へ向かうスリット状凹部をチケットホルダ（２５）として形成したことを特徴とする。
【０００６】
インストルメントパネル正面の上方領域に、上周面及び両側の側周面で周囲に対して遮光されたカーナビゲータ、ＴＶ等の画像表示装置用の収納部が形成される。水平状の下周面には、レジスタの空気吹出し口が、上向きに設けられると共に、その後端部分には、出し入れを容易にするように上方へ開口したスリット状のチケットホルダが用意される。
【０００７】
下周面による画像表示面への光反射を回避するには、請求項２により、車幅方向に沿った空気吹出し口が、斜め後方に向けて上方へ延びる風向板間に形成されると共に、その上端面が後方へ向かうのに伴って下降する傾斜面として形成される。
【０００８】
【発明の実施の形態】
図１乃至図３を基に本発明の実施の形態の一例による自動車のインストルメントパネルを説明する。インストルメントパネル正面１ｂの両側には、図４の場合と同様にレジスタ４が設けられ、運転席の対向領域にはメータ表示面７が形成されている。センタコンソール９の上方におけるインストルメントパネル正面１ｂの車幅方向の中央領域には、本発明によりインストルメントパネル上面１ａの直ぐ下に、即ち隣接して画像表示装置用の収納部１０が、車両後方へ突出して形成されている。
【０００９】
この収納部は、カーナビゲータ本体を収納できる空間を前方に向けて備えると共に、その画像表示面１９が占める位置よりも後方へ突出した上周面１１、両側の側周面１２及び下周面１３が形成されている。下周面１３は上周面１１よりも大きく後方へ突出して広い面積を有し、対応して側周面１２の先端縁は下方へ向かうのに伴って後方へ向かうように斜めに形成されている。
【００１０】
収納部１０に水平状の下周面１３から下方に形成されている突出部１ｃには、上向きの空気吹出し口２１を有するレジスタ２０が内蔵され、その正面には空調操作パネル２７が設けられている。レジスタ２０は、図２及び図３に示すように、それぞれの間に上方への空気吹出し口２１を形成して複数枚配列された斜め後方へ向けて上方へ延びる風向板２２を車幅方向に沿って備え、その下端の空気取り入れ口２８は空調装置に接続するダクト２９に接続している。
【００１１】
下周面１３を構成する風向板２２の上端面２２ａは、後方へ向かうのに伴って下降する傾斜面として形成されている。レジスタ２０における最も後側の風向板２２の上面、即ち下周面１３の後端部分には、図３に示すように、チケットホルダ２５として水平状の下周面後端部分で開口するスリットを下方へ向けて凹状に形成することができる。
【００１２】
収納部１０には、カーナビゲータ本体をその画像表示面１９が上周面１１の先端よりも僅かに後退した位置を占めるように収納する。これにより、画像表示面１９は上周面１１及び両側の側周面１２により包囲され、車室内への入射光が遮光されて画面が見難くなるのが回避される。下周面１３は、細隙である空気吹出し口２１及び上端面２２ａが斜めの風向板２２が配列されることにより、その反射光が画像表示面１９に入射するのが回避される。また、画像表示面１９は、インストルメントパネル正面１ｂの上部領域を占めることにより、モニタ時に運転者の視線の移動量が少なくて済む。レジスタ２０は、センタコンソール９の上方で広い水平面領域を占めることにより、運転操作を邪魔することなく、レジスタ面積が大きく拡大され、空調性能も向上する。後方へ突出した下周面１３に上向きに開口したチケットホルダ２５が設けられると、出し入れ操作がし易くなる。
【００１３】
尚、本発明の収納部には、場合により画像表示装置としてテレビジョンを収納することも可能である。
【００１４】
【発明の効果】
請求項１の発明によれば、収納部がインストルメントパネル正面の上方位置を占めることにより、画面モニタ時の運転者の視線の移動量が少なくて済み、安全性が向上する。センタコンソールの上方位置で突出する下周面へレジスタを設けることにより、邪魔にならずに、水平面状に吹出し面を拡大することが可能になる。チケットホルダが広い水平面に上向きに形成され、出し入れが容易になる。請求項２の発明によれば、レジスタの風向板の上端面が傾斜することにより、レジスタの吹出し面が水平状に構成されても光反射を回避できる。
【図面の簡単な説明】
【図１】  本発明の実施の形態による自動車のインストルメントパネルの斜視図である。
【図２】  同インストルメントパネルの要部の拡大斜視図である。
【図３】  同インストルメントパネルに設けられたレジスタ及びチケットホルダの図２のＡ−Ａ線に相当する部分の断面図である。
【図４】  従来のインストルメントパネルの斜視図である。
【符号の説明】
１  インストルメントパネル
１ａ  インストルメントパネル上面
１ｂ  インストルメントパネル正面
９  センタコンソール
１０  収納部
１３  収納部の下周面
２０  レジスタ
２１  空気吹出し口
２２  風向板
２５  チケットホルダ
【図１】
0003906959.tif 000002
【図２】
0003906959.tif 000003
【図３】
0003906959.tif 000004
【図４】
0003906959.tif 000005